(57)【特許請求の範囲】
【請求項１】
透視部と非透視部が面内方向に交互に連続した一側ガラス板１と他側ガラス板２が、スペーサ３を介して連結され気密した空気層４を有し、
前記空気層４内に、透視部と非透視部が面内方向に交互に連続して有する薄板状の可動仕切り部材６が面内方向に移動可能に設けられ、前記空気層４が一側空気層４−１、他側空気層４−２に区分された複層ガラスであって、
前記空気層４の上部に上ガイド部材７が設けられ、その空気層４の下部に下ガイド部材１１が設けてあり、
前記可動仕切り部材６の上縁部に上ガイド１０が設けられ、その上ガイド１０が前記上ガイド部材７の上ガイド部９に、下方に抜け落ちないように面内方向に摺動可能に嵌まり合い、
前記可動仕切り部材６の下縁部に下ガイド１４が設けられ、その下ガイド１４が前記下ガイド部材１１の下ガイド部１３に振れ動かないように面内方向に摺動可能に嵌まり合い、
前記上ガイド１０は磁石に吸着する材料より成り、一側ガラス板１又は他側ガラス板２の表面から磁石１５で上ガイド１０を吸着し、その表面に沿って磁石１５を移動することで前記可動仕切り部材６が面内方向に移動する形状であることを特徴とする複層ガラス。
【請求項２】
一側ガラス板１と他側ガラス板２がスペーサ３を介して連結され気密した空気層４を有し、
前記空気層４内に、透視部と非透視部が面内方向に交互に連続して有する薄板状の可動仕切り部材２０及び固定仕切り部材２１が設けられ、前記空気層４が一側空気層４−１、他側空気層４−２に区分された複層ガラスであって、
前記空気層４の上部に上ガイド部材７が設けられ、その空気層４の下部に下ガイド部材１１が設けてあり、
前記可動仕切り部材２０の一側面における上縁部に上ガイド２２が設けられ、その上ガイド２２が前記上ガイド部材７の上ガイド部９の一側寄りに抜け落ちないように面内方向に摺動可能に嵌まり合い、
前記可動仕切り部材２０の一側面における下縁部に下ガイド２３が設けられ、その下ガイド２３が前記下ガイド部材１１の下ガイド部１３の一側寄りに面内方向に摺動可能に接し、
前記固定仕切り部材２１の他側面における上縁部が前記上ガイド部材７の上ガイド部９の他側寄りに固着され、
前記固定仕切り部材２１の他側面における下縁部が前記下ガイド部材１１の下ガイド部１３の他側寄りに固着され、
前記上ガイド１０は磁石に吸着する材料より成り、一側ガラス板１又は他側ガラス板２の表面から磁石１５で上ガイド１０を吸着し、その表面に沿って磁石１５を移動することで前記可動仕切り部材２０が固定仕切り部材２１に対して面内方向に移動する形状であることを特徴とする複層ガラス。
【発明の詳細な説明】
【０００１】
【発明の属する技術分野】
本発明は、浴室、トイレのサッシ窓等に用いる複層ガラスに関する。
【０００２】
【従来の技術】
特開昭６０−１０９４８１号公報に示す複層ガラスが提案されている。
この複層ガラスは、２枚のガラス板をスペーサを介して連結して空気層を形成し、その空気層をプラスチックフィルムで一側空気層と他側空気層に区分して断熱性能を向上したものである。
【０００３】
【発明が解決しようとする課題】
前述の複層ガラスはビルや一般住宅の窓などに用いられ冷暖房の省エネ効果を目的とするものであり、２枚のガラス板、プラスチックフィルムは透視可能なものを用いるのが一般的である。
【０００４】
最近の住宅は高断熱、高気密化の傾向であり、浴室、トイレのサッシ窓にも複層ガラスが用いられることがある。
浴室、トイレのサッシ窓は断熱性のみでなく外部から内部が見えないことが要求される。
しかしながら、前述した高断熱の複層ガラスは透視可能であり、外部から内部が見えるので浴室、トイレのサッシ窓に用いる複層ガラスには不向きである。
【０００５】
前述のことを解消する複層ガラスとしては、２枚のガラス板間の空気層にブラインドを設けたブラインド内蔵複層ガラスが考えられる。
しかしながら、ブラインドは見込み寸法が大きいので複層ガラスの見込み寸法が大きくなってしまう。
また、複層ガラスの空気層は密封されているので、その空気層に設けたブラインドを外部から開閉操作する構造は大掛かりで高価であるから、高価な複層ガラスである。
【０００６】
そこで、本発明は前述の課題を解決できるようにした複層ガラスを提供することを目的とする。
【０００７】
【課題を解決するための手段】
第１の発明は、透視部と非透視部が面内方向に交互に連続した一側ガラス板１と他側ガラス板２が、スペーサ３を介して連結され気密した空気層４を有し、
前記空気層４内に、透視部と非透視部が面内方向に交互に連続して有する薄板状の可動仕切り部材６が面内方向に移動可能に設けられ、前記空気層４が一側空気層４−１、他側空気層４−２に区分された複層ガラスであって、
前記空気層４の上部に上ガイド部材７が設けられ、その空気層４の下部に下ガイド部材１１が設けてあり、
前記可動仕切り部材６の上縁部に上ガイド１０が設けられ、その上ガイド１０が前記上ガイド部材７の上ガイド部９に、下方に抜け落ちないように面内方向に摺動可能に嵌まり合い、
前記可動仕切り部材６の下縁部に下ガイド１４が設けられ、その下ガイド１４が前記下ガイド部材１１の下ガイド部１３に振れ動かないように面内方向に摺動可能に嵌まり合い、
前記上ガイド１０は磁石に吸着する材料より成り、一側ガラス板１又は他側ガラス板２の表面から磁石１５で上ガイド１０を吸着し、その表面に沿って磁石１５を移動することで前記可動仕切り部材６が面内方向に移動する形状であることを特徴とする複層ガラスである。
【０００８】
第２の発明は、一側ガラス板１と他側ガラス板２がスペーサ３を介して連結され気密した空気層４を有し、
前記空気層４内に、透視部と非透視部が面内方向に交互に連続して有する薄板状の可動仕切り部材２０及び固定仕切り部材２１が設けられ、前記空気層４が一側空気層４−１、他側空気層４−２に区分された複層ガラスであって、
前記空気層４の上部に上ガイド部材７が設けられ、その空気層４の下部に下ガイド部材１１が設けてあり、
前記可動仕切り部材２０の一側面における上縁部に上ガイド２２が設けられ、その上ガイド２２が前記上ガイド部材７の上ガイド部９の一側寄りに抜け落ちないように面内方向に摺動可能に嵌まり合い、
前記可動仕切り部材２０の一側面における下縁部に下ガイド２３が設けられ、その下ガイド２３が前記下ガイド部材１１の下ガイド部１３の一側寄りに面内方向に摺動可能に接し、
前記固定仕切り部材２１の他側面における上縁部が前記上ガイド部材７の上ガイド部９の他側寄りに固着され、
前記固定仕切り部材２１の他側面における下縁部が前記下ガイド部材１１の下ガイド部１３の他側寄りに固着され、
前記上ガイド２２は磁石に吸着する材料より成り、一側ガラス板１又は他側ガラス板２の表面から磁石１５で上ガイド２２を吸着し、その表面に沿って磁石１５を移動することで前記可動仕切り部材２０が固定仕切り部材２１に対して面内方向に移動する形状であることを特徴とする複層ガラスである。
【０００９】
【作用】
第１の発明によれば、空気層４が可動仕切り部材６で一側空気層４−１、他側空気層４−２に区分されているので断熱性に優れた複層ガラスである。
また、可動仕切り部材６を面内方向に移動することで一側ガラス板１、可動仕切り部材６の透視部同士を重ね合わせたり、その重ね合わせ量を変えたり、透視部と非透視部を重ね合わせることが可能であるから、透視可能な複層ガラス、透視できない複層ガラスにできると共に、その透視性を調整できる。
しかも、一側ガラス板１又は他側ガラス板２の表面に沿って磁石１５を移動することで可動仕切り部材６が移動するので、その構造が単純であると共に、見込み寸法を小さくできる。
さらに、上ガイド１０が上ガイド部９に下方に抜け落ちないように面内方向に摺動可能に嵌まり合い、下ガイド１４が下ガイド部１３に振れ動かないように面内方向に摺動可能に嵌まり合い、その上ガイド１０を磁石１５で吸着して面内方向に移動するので、その可動仕切り部材６がシートであっても移動する際に波形状に変形することがない。
したがって、浴室やトイレのサッシ窓に用いる複層ガラスとして好適である。
【００１０】
第２の発明によれば、空気層４が可動仕切り部材２０と固定仕切り部材２１で一側空気層４−１、他側空気層４−２に区分されているので断熱性に優れた複層ガラスである。
また、可動仕切り部材２０を固定仕切り部材２１に対して面内方向に移動することで両者の透視部同士を重ね合わせたり、その重ね合わせ量を変えたり、透視部と非透視部を重ね合わせることが可能であるから、透視可能な複層ガラス、透視できない複層ガラスにできると共に、その透視性を調整できる。
しかも、一側ガラス板１又は他側ガラス板２の表面に沿って磁石１５を移動することで可動仕切り部材２０が移動するので、その構造が単純であると共に、見込み寸法を小さくできる。
さらに、上ガイド２２が上ガイド部９の一側寄りに抜け落ちないように面内方向に摺動可能に嵌まり合い、下ガイド２３が下ガイド部１３の一側寄りに面内方向に摺動可能に接し、その上ガイド２２を磁石で吸着して面内方向に移動するので、その可動仕切り部材２０がシートであっても移動する際に波形状に変形することがない。
したがって、浴室やトイレのサッシ窓に用いる複層ガラスとして好適である。
【００１１】
【発明の実施の形態】
図１に示すように、一側ガラス板１と他側ガラス板２を、その周縁にスペーサ３を介して気密状態で連結し、その一側ガラス板１と他側ガラス板２との間に気密された空気層４を形成する。
前記一側ガラス板１の内側面（空気層４側の面）に印刷層５がある。
【００１２】
前記空気層４内には、その空気層４内を一側空気層４−１と他側空気層４−２に区分する可動仕切り部材６が面内方向に移動可能に設けてある。この可動仕切り部材６はＰＥＴシートなどの樹脂シート又は樹脂のプレート等の薄板状である。
前記一側ガラス板１、他側ガラス板２の上縁部間を連結するスペーサ３の内面に上ガイド部材７がビス８で取付けてある。この上ガイド部材７は下向き凹溝形状の上ガイド部９を有する。
この上ガイド部９に可動仕切り部材６の上縁部に取付けた上ガイド１０が面内方向に摺動可能に嵌まり合っている。
前記一側ガラス板１、他側ガラス板２の下縁部間を連結するスペーサ３の内面に下ガイド部材１１がビス１２で取付けてある。
この下ガイド部材１１は上向きコ字状の下ガイド部１３を有する。
この下ガイド部１３に可動仕切り部材６の下縁部に取付けた下ガイド１４が面内方向に摺動可能に嵌まり合っている。
【００１３】
前記上ガイド１０は磁石や金属を混合した樹脂又は樹脂の一部に磁石や金属を埋設した材料で丸棒形状で、上ガイド部材７の断面略円形の上ガイド部９に下方に抜け落ちないように摺動可能に嵌まり合っていると共に、この上ガイド１０は磁石に吸着する。
前記下ガイド１４は樹脂又は金属によって丸棒形状で、下ガイド部材１１の下ガイド部１３に摺動可能に嵌まり合っている。この下ガイド１４と下ガイド部１３は可動仕切り部材６の下縁部が振れ動かないように摺動ガイドする。また可動仕切り部材６がシートの場合に、下ガイド１４の重量でそのシートが真っ直ぐに垂れ下がるようにする。
【００１４】
このようであるから、一側ガラス板１の表面（空気層４と反対側の面）から磁石１５を上ガイド１０と相対向させ、その磁石１５を面内方向に移動することで上ガイド１０が上ガイド部９に沿って摺動し可動仕切り部材６が面内方向に移動する。この時、可動仕切り部材６がシートであっても移動する際に波形状に変形することがない。
【００１５】
前記印刷層５は図２に示すように非透視性の印刷部５ａと透視性の非印刷部５ｂを有し、その非印刷部５ｂは幅狭く長尺な形状で一側ガラス板１の上縁寄りから下縁寄りまで連続し、かつ一側ガラス板１の面内方向に間隔を置いて複数有する。
この隣接した非印刷部５ｂ間が印刷部５ａで、その印刷部５ａの幅は非印刷部５ｂの幅よりも小さい。
これによって、一側ガラス板１の内側面は透視部と非透視部が面内方向に交互に連続し、その透視部の幅は非透視部の幅よりも大きい。
なお、前述のように透明部と非透明部が面内方向に交互に連続した樹脂フィルム、例えば印刷層を有する樹脂フィルムを一側ガラス板１の内側面に貼着しても良い。
【００１６】
前記可動仕切り部材６は図３に示すように透視性材料で前記一側ガラス板１と略同一大きさの薄板状で、上縁寄りから下縁寄りまで連続し幅狭い非透視部６ｂが面内方向に間隔を置いて複数有する。
この隣接した非透視部６ｂ間が透視部６ａで、その非透視部６ｂの幅は透視部６ａの幅よりも大きく、その非透視部６ｂは印刷層５の非印刷部５ｂ（一側ガラス１の透視部）よりも幅広い。
【００１７】
このようであるから、図４に示すように可動仕切り部材６を面内方向に移動し、その可動仕切り部材６の非透視部６ｂを印刷層５の隣接した非印刷部５ｂ間に位置させて透視部６ａと非印刷部５ｂを合致させることで透視可能な複層ガラスとなる。
【００１８】
また、図５に示すように可動仕切り部材６を面内方向に移動し、その非透視部６ｂと印刷層５の非印刷部５ｂを重ね合わせ合致させることで透視できない複層ガラスとなる。
【００１９】
また、可動仕切り部材６の移動量を調整し、その非透視部６ｂと印刷層５の非印刷部５ｂの重ね合わせ量を変えることで透視性を調整できる。
【００２０】
前記上ガイド１０、下ガイド１４は図６に示すように可動仕切り部材６の他側面上下縁部に固着しても良い。この場合には上ガイド部９を他側方向に突出した略横向きＵ字形状とする。この場合には他側ガラス板２の表面に沿って磁石１５を移動して可動仕切り部材６を面内方向に移動する。
【００２１】
前記上ガイド１０、下ガイド１４は図７に示すように可動仕切り部材６の一側面上下縁部に固着しても良い。この場合には上ガイド部９を一側方向に突出した略横向きＵ字形状とする。この場合には一側ガラス板１の表面に沿って磁石１５を移動して可動仕切り部材６を面内方向に移動する。
なお、前述の実施の形態においては一側ガラス板１の内側面（空気層４側の面）に印刷層５を設けた例で説明したが、印刷層５は一側ガラス板１の外側面（空気層４と反対側の面）に設けてもかまわない。
【００２２】
次に本発明の第２の実施の形態を説明する。
図８に示すように、一側ガラス板１と他側ガラス板２を、その周縁にスペーサ３を介して気密状態で連結し、その一側ガラス板１と他側ガラス板２との間に気密された空気層４を形成する。
上のスペーサ３の内面に上ガイド部材７をビス８で取付ける。
下のスペーサ３の内面に下ガイド部材１１をビス１２で取付ける。
【００２３】
前記上ガイド部材７の上ガイド部９と下ガイド部材１１の下ガイド部１３に亘って可動仕切り部材２０と固定仕切り部材２１を設け、前記空気層４を一側空気層４−１と他側空気層４−２に区分する。なお、可動仕切り部材２０と固定仕切り部材２１との間に中間空気層を形成して空気層４を３層に区分することも可能である。
【００２４】
前記可動仕切り部材２０、固定仕切り部材２１はＰＥＴシートなどの樹脂シート又は樹脂のプレート等の薄板状で、前述の可動仕切り部材６と同様に透視部と非透視部が面内方向に交互に連続して有する。
【００２５】
前記可動仕切り部材２０の一側面における上縁部に上ガイド２２が固着され、一側面における下縁部に下ガイド２３が固着してある。
この上ガイド２２が上ガイド部材７の上ガイド部９の一側寄りに摺動可能に嵌まり合い、下ガイド２３が下ガイド部材１１の下ガイド１３の一側寄りに摺動可能に接する。
前記固定仕切り部材２１の他側面上縁部、下縁部が上ガイド部材７のガイド部９、下ガイド部材１１のガイド部１３の他側寄りに接着剤２４，２５でそれぞれ固着してある。
【００２６】
前記上ガイド２２は前述の上ガイド１０と同様に磁石に吸着されるもので、一側ガラス板１の表面から磁石１５を上ガイド２２に相対向し、その磁石１５を移動することで可動仕切り部材２０が固定仕切り部材２１に対して面内方向に移動する。
これにより、透視可能な複層ガラス、透視できない複層ガラスとしたり、その透視性を調整できる。
【００２７】
図８に示す一側寄りの仕切り部材を固定して固定仕切り部材２１とし、他側寄りの仕切り部材を可動として可動仕切り部材２０とし、他側ガラス板２の表面に沿って磁石１５を移動することで可動仕切り部材２０を固定仕切り部材２１に対して面内方向に移動するようにしても良い。
【００２８】
【発明の効果】
請求項１に係る発明によれば、空気層４が可動仕切り部材６で一側空気層４−１、他側空気層４−２に区分されているので断熱性に優れた複層ガラスである。
また、可動仕切り部材６を面内方向に移動することで一側ガラス板１、可動仕切り部材６の透視部同士を重ね合わせたり、その重ね合わせ量を変えたり、透視部と非透視部を重ね合わせることが可能であるから、透視可能な複層ガラス、透視できない複層ガラスにできると共に、その透視性を調整できる。
しかも、一側ガラス板１又は他側ガラス板２の表面に沿って磁石１５を移動することで可動仕切り部材６が移動するので、その構造が単純であると共に、見込み寸法を小さくできる。
さらに、上ガイド１０が上ガイド部９に下方に抜け落ちないように面内方向に摺動可能に嵌まり合い、下ガイド１４が下ガイド部１３に振れ動かないように面内方向に摺動可能に嵌まり合い、その上ガイド１０を磁石１５で吸着して面内方向に移動するので、その可動仕切り部材６がシートであっても移動する際に波形状に変形することがない。
したがって、浴室やトイレのサッシ窓に用いる複層ガラスとして好適である。
【００２９】
請求項２に係る発明によれば、空気層４が可動仕切り部材２０と固定仕切り部材２１で一側空気層４−１、他側空気層４−２に区分されているので断熱性に優れた複層ガラスである。
また、可動仕切り部材２０を固定仕切り部材２１に対して面内方向に移動することで両者の透視部同士を重ね合わせたり、その重ね合わせ量を変えたり、透視部と非透視部を重ね合わせることが可能であるから、透視可能な複層ガラス、透視できない複層ガラスにできると共に、その透視性を調整できる。
しかも、一側ガラス板１又は他側ガラス板２の表面に沿って磁石１５を移動することで可動仕切り部材２０が移動するので、その構造が単純であると共に、見込み寸法を小さくできる。
さらに、上ガイド２２が上ガイド部９の一側寄りに抜け落ちないように面内方向に摺動可能に嵌まり合い、下ガイド２３が下ガイド部１３の一側寄りに面内方向に摺動可能に接し、その上ガイド２２を磁石で吸着して面内方向に移動するので、その可動仕切り部材２０がシートであっても移動する際に波形状に変形することがない。
したがって、浴室やトイレのサッシ窓に用いる複層ガラスとして好適である。
【図面の簡単な説明】
【図１】本発明の第１の実施の形態を示す複層ガラスの断面図である。
【図２】一側ガラス板の印刷層の正面図である。
【図３】可動仕切り部材の正面図である。
【図４】透視可能状態の正面図である。
【図５】透視できない状態の正面図である。
【図６】ガイド部とガイドの第２の実施の形態を示す複層ガラスの断面図である。
【図７】ガイド部とガイドの第３の実施の形態を示す複層ガラスの断面図である。
【図８】本発明の第２の実施の形態を示す複層ガラスの断面図である。
【符号の説明】
１…一側ガラス板、２…他側ガラス板、３…スペーサ、４…空気層、４−１…一側空気層、４−２…他側空気層、５…印刷層、６…可動仕切り部材、１５…磁石、２０…可動仕切り部材、２１…固定仕切り部材。
【図１】
0003650962.tif 000002
【図２】
0003650962.tif 000003
【図３】
0003650962.tif 000004
【図４】
0003650962.tif 000005
【図５】
0003650962.tif 000006
【図６】
0003650962.tif 000007
【図７】
0003650962.tif 000008
【図８】
0003650962.tif 000009